(57)【要約】【課題】空調機を分解することなく、空調機のドレンパンに溜まった泥水を簡易に、効率的に、かつ安全に清掃できる空調機ドレンパンを提供する。【解決手段】空調機ドレンパン１には、吸引部と排出部とを有する清掃用管８が設けられ、吸引部の吸引口１２は、ドレンパン４の底部近傍に固定され、空調機２のドレンパン４に溜まった泥水を吸引し、排出部の排出口１３は、空調機２の外部に露出し、室内に設置された泥水用掃除機１４に取付けられたホース１５と接続可能である。【選択図】図１
2007120851.tif 000002
【特許請求の範囲】
【請求項１】
室外に設置されるとともに熱交換器を有する空調機に設けられ、泥水用掃除機により泥水を清掃される空調機ドレンパンであって、
空調機ドレンパンには、吸引部と排出部とを有する清掃用管が設けられ、吸引部の吸引口は、ドレンパンの底部近傍に固定され、排出部の排出口は、空調機外に露出し、室内にある泥水用掃除機と接続可能であることを特徴とする空調機ドレンパン。
【請求項２】
請求項１に記載の空調機ドレンパンにおいて、清掃用管の吸引口は、ドレンパンの底部に這わせた吸引部の側壁に設けられた複数の孔であることを特徴とする空調機ドレンパン。
【請求項３】
請求項２に記載の空調機ドレンパンにおいて、ドレンパンの底部に這わせた吸引部は、相互に離間して枝分かれする複数の管から成ることを特徴とする空調機ドレンパン。
【発明の詳細な説明】
【技術分野】
【０００１】
本発明は、空調機ドレンパンに係り、特に、空調機から生じる泥水を清掃するための空調機ドレンパンに関する。
【背景技術】
【０００２】
オフィスビルや工場等の空調機は、室内スペースを有効に活用し、調和空気を天井から室内全体に送風するため、天井裏に設置されるのが一般的である。この空調機は、送風機（ファン）、熱交換器（コイル）、加湿器、エアーフィルタ、ケーシングから構成される。この空調機を動作させると、熱交換器による室内空気の熱交換の際に、凝縮された空気が水滴となり熱交換器から滴下する。一般的に、空調機は、この熱交換器より滴下したドレン水を溜めるドレンパンを備えている。このドレンパンに溜まったドレン水は、ドレンパンに装備されているドレンポンプを駆動させ吸引することにより空調機の外部に排出される。
【０００３】
また、空調機の運転の際に、室内に浮遊する塵埃やタバコの煙等が熱交換器に付着する。これらの塵埃やタバコの煙等は、熱交換器より滴下したドレン水と混ざり合い、ドレンパンに落下し、塵埃等の塊を含んだ泥水となってドレンパン内に溜まる。
【０００４】
この泥水が溜まったドレンパンからドレンポンプを駆動させて吸引すると、泥水に含まれる塵埃等の塊が、ドレンポンプの吸引口や排出口を閉鎖して排水不良となる。
【０００５】
従来、この泥水による排水不良を防ぐ手段として、一般的に、定期的な清掃を行い対処していた。この清掃は、ドレンパン及びドレンポンプが取り外し可能なまでに空調機を分解し、雑巾やウエス等を使用して手作業で行われていた。
【０００６】
一方、例えば、非特許文献１には、空調機ドレンパン清掃装置が開示されている。非特許文献１に開示されている空調機ドレンパン清掃装置を図３に示す。エアーフィルタの清掃に使用する電気掃除機２１に、ドレン清掃装置２２を接続し、ホース２３からヘドロ水２６や乾いたゴミ２５を吸引する。ドレン清掃装置２２に吸引されたヘドロ水２６はドレン清掃装置２２の下部へ溜まり、乾いたゴミ２５は、ホース２４を介して電気掃除機２１へ吸引される。
【０００７】
【非特許文献１】発明協会公開技報番号９８−２９２７
【発明の開示】
【発明が解決しようとする課題】
【０００８】
上述のように、従来のドレンパンの清掃には、空調機の分解作業が必要となる。空調機は、通常、オフィスビルや工場等の天井裏に設置されるため、空調機の分解作業は狭い天井裏で行うか、又は、空調機を天井裏から運び出さなければならない。いずれにしても、その作業は容易ではなく、時間と労力を要し不経済である。また、総て手作業での作業となるため効率的ではない。
【０００９】
一方、非特許文献１に開示されている空調機ドレンパン清掃装置は、ホースの先をドレンパンに溜まった泥水につけて吸引しなければならず、この作業は、天井裏で行うか、又は、空調機を天井裏から運び出さなければならない。いずれにしても、その作業は容易ではなく、時間と労力を要し不経済である。また、ホースの先をドレンパンに溜まった泥水につけて吸引する作業は、手作業となるため効率的ではない。
【００１０】
また、上記作業は、いずれも清掃員による特殊な作業であり、また安全上からも一般的に誰でも可能な作業とはいえない。
【００１１】
本願の目的は、かかる課題を解決し、空調機の分解作業を不要とし、空調機のドレンパンに溜まった泥水を簡易に、効率的に、かつ安全に清掃可能な空調機ドレンパンを提供することである。
【課題を解決するための手段】
【００１２】
上記目的を達成するため、本発明に係る空調機ドレンパンは、室外に設置されるとともに熱交換器を有する空調機に設けられ、泥水用掃除機により泥水を清掃される空調機ドレンパンであって、空調機ドレンパンには、吸引部と排出部とを有する清掃用管が設けられ、吸引部の吸引口は、ドレンパンの底部近傍に固定され、排出部の排出口は、空調機外に露出し、室内にある泥水用掃除機と接続可能であることを特徴とする。
【００１３】
また、空調機ドレンパンは、清掃用管の吸引口が、ドレンパンの底部に這わせた吸引部の側壁に設けられた複数の孔であることが好ましい。
【００１４】
また、空調機ドレンパンは、ドレンパンの底部に這わせた吸引部は、相互に離間して枝分かれする複数の管から成ることが好ましい。
【発明の効果】
【００１５】
上記構成により、ドレンパンには、清掃用パイプが設けられ、清掃用パイプの排出口が、空調機外に露出している。これにより、泥水用掃除機をこの排出口に接続することで、泥水が溜まるドレンパンの底部近傍に固定された清掃用パイプの吸引口から泥水が吸引され、空調機を分解することなく、空調機のドレンパンに溜まった泥水の簡易かつ効率的な清掃が可能となる。
【００１６】
また、清掃用パイプの排出口は、室内に設けられた水用掃除機と接続可能となる。これにより、空調機室に入ることなく、室内側にて作業が可能となり、安全な作業が確保される。
【００１７】
以上のように、本発明に係る空調機ドレンパンによれば、空調機の分解作業を不要とし、空調機のドレンパンに溜まった泥水を簡易に、効率的に、かつ安全に清掃することが可能となる。
【発明を実施するための最良の形態】
【００１８】
以下に、図面を用いて本発明に係る実施の形態につき、詳細に説明する。
【００１９】
図１に空調機ドレンパン１の一つの実施形態の概要を示す。空調機２は、オフィスビルや工場の天井の化粧パネル９の裏面に設置されている。また、空調機２は、熱交換器３を備え、その下部には熱交換器３から滴下するドレン水を受けるドレンパン４が設置されている。ドレンパン４には水勾配がつけられ、ドレンパン４の一部に溜まる。そのドレン水が溜まった箇所には、ドレン水を汲み上げるためのドレンポンプ５が設置されている。塵埃等の塊を含んだ泥水も、ドレン水と同様にドレンパン４の一部に溜まる。
【００２０】
空調機ドレンパン１は、ドレンパン４と、ドレンパン４に固定された清掃用管８とから構成される。本実施の態様では、清掃用管８は、可撓性を有する清掃用ホース７と、清掃用ホース７に接続され、パイプから成る清掃用ノズル６とから構成される。清掃用ノズル６は、その吸引口１２からドレンパン４に溜まった泥水を吸引する。また、清掃用ホース７は、その排出口１３から泥水を排出する。この清掃用管８は、パイプにより一体で構成されても良い。また、パイプは、管状のものであれば、例えば鋼管、銅配管などその材質を問わない。
【００２１】
清掃用ノズル６の吸引口１２は、ドレンパン４の底部に固定される。また、清掃用ホース７の排出口１３は、空調機２から外部に露出し、化粧パネル９に設けられたメンテナンス用の開口部１０から、室内に設置された泥水用掃除機１４のホース１５に接続される。
【００２２】
図２に清掃用管８を構成する清掃用ノズル６及び清掃用ホース７の一つの実施形態を示す。
【００２３】
清掃用ノズル６は、泥水が溜まるドレンパン４の底部近傍に設置され、ドレンパン４に固定される。これは、清掃用ノズル６が、ドレンパン４の一部に溜まった塵埃等の塊を含んだ泥水を効率よく吸引するためである。また、清掃用ノズル６は、ドレンパン４に溜まったドレン水を汲み上げるドレンポンプ５の下方に設置される。通常は、ドレンポンプ５を駆動させてドレン水を吸引するが、泥水が溜まったドレンパン４からドレンポンプ５を駆動させて吸引すると、泥水に含まれる塵埃等の塊が、ドレンポンプ５の吸引口や排出口を閉鎖して排水不良となる。この排水不良を避けるため、ドレンポンプ５の吸引口の下方にある清掃用ノズル６から泥水を吸引する。
【００２４】
清掃用ノズル６は、そのドレンパン４側の端部に、泥水を吸引するための吸引口１２を有する。本実施の態様では、清掃用ノズル６は、相互に離間して枝分かれする複数のパイプから成り、それぞれのパイプには、その側壁に複数の吸引口１２が設けられている。この清掃用ノズル６の形状は、本実施の態様に限られない。例えば、泥水の量が少なく、その範囲が狭い場合等には、清掃用ノズル６は単一の管であっても良く、また、吸引口１２は、管の先端の開口であっても良い。また、清掃用ノズル６が単一の管であり、その側壁に複数の吸引口１２を備えていても良い。本実施の形態では、複数に枝分かれした吸引口１２を有する清掃用ノズル６は、ドレンパン４の側壁に沿って立ち上げられ一本のパイプに合流し、空調機２から外部に露出する。この清掃用ノズル６は、ドレンパン４の側壁を貫通して外部に露出しても良い。
【００２５】
清掃用ホース７は、空調機２から外部に露出する清掃用ノズル６に接続され、天井の化粧パネルのメンテナンス用の開口部１０近傍にまで延長される。メンテナンス用の開口部１０が、空調機ドレンパン１の近傍にない場合には、開口部１０まで延長しなければならないため、可撓性の高い清掃用ホース７、例えばビニール管やゴム管を用いることが好ましい。一方、メンテナンス用の開口部１０が、空調機ドレンパン１の近傍にある場合には、清掃用ホース７は、清掃用ノズル６をそのまま延長したものであっても良い。
【００２６】
ドレンパン４に停留した泥水を排出する清掃作業は、まず、室内側に泥水用掃除機１４を設置し、泥水用掃除機１４に取付けられたホース１５を、開口部１０を通じて清掃用ホース７の排出口１３に接続する。次に、泥水用掃除機１４を駆動させ、清掃用ノズル６の吸引口１２から泥水を吸引する。吸引された泥水は、清掃用ノズル６から清掃用ホース７の排出口１３に到達する。さらに、清掃用ホース７の排出口１３に接続された泥水用掃除機１４のホース１５を通じて泥水用掃除機１４に回収される。
【００２７】
したがって、作業者は、天井裏に設置された空調機２を分解せずに清掃作業が行える。また、空調機２を天井裏から運び出す必要がない。さらには、泥水用掃除機１４のホース１５を空調機２のドレンパン４にまで運び込む必要がなく、室内に設置するだけでよい。
【００２８】
さらに、この清掃用ホース７を用いる場合、複数の空調機ドレンパン１に取付けられた清掃用管８を連結して一つの管にまとめ、一つの開口部１０から複数の空調機ドレンパン１の清掃を行うことも可能である。
【図面の簡単な説明】
【００２９】
【図１】本発明に係る空調機ドレンパンの一つの実施形態の概要を示す図である。
【図２】空調機ドレンパンの清掃用管の一つの実施形態を示す図である。
【図３】従来の空調機ドレンパン清掃装置を示す図である。
【符号の説明】
【００３０】
１  空調機ドレンパン、２  空調機、３  熱交換器、４  ドレンパン、５  ドレンポンプ、６  清掃用ノズル、７  清掃用ホース、８  清掃用管、９  化粧パネル、１０  開口部、１２  吸引口、１３  排出口、１４  泥水用掃除機、２１  電気掃除機、２２  ドレン清掃装置、１５，２３，２４  ホース、２５  ゴミ、２６  ヘドロ水。
【図１】
2007120851.tif 000003
【図２】
2007120851.tif 000004
【図３】
2007120851.tif 000005